(57)【要約】      （修正有）【課題】電解水装置を取り付ける際に、パイプの接続が便利でかつコストがかからず、また蛇口の外観を損ねないで、蛇口使用時には手や物があたるなどの不便がない蛇口を提供することを課題とする。【解決手段】水と湯の通路となるパイプと浄水の通路となるパイプを内部に有し、シンク台に取り付け可能なスタンド式の蛇口の本体２に、ろ過装置によってろ過処理された浄水をパイプに供給する給水パイプ２５と、パイプの浄水の流量制御を行なう浄水制御バルブ３と、パイプの浄水を電解水装置に供給する出水パイプ２６とを備えた構成とする。【選択図】図３
0003106388.tif 000002
【実用新案登録請求の範囲】
【請求項１】
底面に上に向かって水と湯を供給するパイプがあって、
上部にある混合制御バルブから出る水を調整するようになっていて、その頂上部には、出水パイプが伸びていて、水を供給するスタンド式の蛇口となっていて、
本体側面下方に、内側に向かって、固定されたバルブ槽に入水のための入水制御バルブが取り付けられていて、
バルブ槽内部には水の導入パイプが設けられていて、本体の下に向かって貫通した給水パイプと通じていて、バルブ槽側面は外向きの出水口に接続し、パイプによって水が電解水装置に供給され、
この構造により、前にあるろ過装置は直接壁に接続したエルボから一般水を分流して得ることができ、入水制御バルブによって調節され、ろ過装置の一般水はろ過処理されて浄水として送り出され、パイプによって浄水が本体内の給水パイプに送られて、バルブ槽側面の外向きの出水口に送られ、
電解水装置内で電解処置された後、電解水装置にある二本の出水口から、それぞれ、酸性あるいはアルカリ性を帯びた電解水として、使用あるいは排出することができるという特徴を有する、電解水を供給制御する水源機能を持つ蛇口。
【請求項２】
底面に上に向かって開けられた、水と湯を供給するパイプから、上部にある混合制御バルブによって、出水制御を行い、さらに、その頂上部に伸びた出水パイプによってスタンド式の蛇口を持った本体に供給するようになっていて、
本体は、側面下方に、内側に向かって浄水制御バルブをはめ込んで固定するためのバルブ槽が開いていて、バルブ槽内側は、下に向かって開いた水を供給するためのパイプが、水を導入するパイプに接続していて、蛇口本体内に水を供給するようになっていると同時に、その浄水制御バルブによって出水を制御するようになっていて、もう一つのバルブ槽側面に接続し、下に向かって貫通した本体の水を供給するパイプに接続していて、
前記浄水制御バルブによって、下に向かって一般水を送り出し、本体にある、シンク台下方のろ過装置に水が進入するようになっていて、あらかじめろ過処理された浄水は、パイプによって、本体底面の、上に向かって開いた入水パイプに送られ、この上に向かって送られた浄水は、本体の内側に進入し、
本体背面あるいは側面の中ほどに設けられた、内側に向かって開いた、貫通した入水パイプ頂上部の出水口から、パイプによって浄水が電解水装置内に送られ、
電解処理された後、電解水装置にある二本の給水口から、それぞれ酸性あるいはアルカリ性を帯びた電解水として、使用あるいは排出されるという特徴を有する、電解水を供給制御する水源機能を持つ蛇口。
【考案の詳細な説明】
【技術分野】
【０００１】
本考案は電解水を供給制御する水源機能を持つ蛇口に関する。本考案の電解水を供給制御する水源機能を持つ蛇口は、スタンド式の蛇口と電解装置が組み合わさって構成される。電解水処理に必要な水はあらかじめろ過された後、本体に入水するようになっている。そして、同一蛇口内の側面水道と組み合わせることで、側面に浄水制御バルブ及びハンドルを追加して、この入水調整が簡単に行なえるようになっている。
【背景技術】
【０００２】
電解水は、人体の酸性、アルカリ性体質を調整し、血液の循環を促し、健康を維持するのに役立つと言われている。現在、一般家庭でも小型の電解水装置が室内に設置されて、簡単で便利に利用できるようになっている。
【０００３】
電解水装置内側には電極板があり、ゴミがたまって機能に影響しないように注意する必要がある。このため、電解水装置内に供給して、電解処理する水は、初歩の段階である程度きれいな水である必要がある。しかしながら、従来の逆浸透水処理装置では、処理後の水は電解過程で必要なミネラルがすでに除去されている。したがって、電解水装置は取り付けてある逆浸透水処理装置とうまく組み合わせて機能させることができず、処理後の浄水を共有することになる。このため、独立したろ過浄化装置を別に取り付ける必要がある。
【０００４】
また、電解水装置によってはph度を調整、あるいは、電解を開始、逆洗浄等の操作及びステータス表示をする必要があるため、一般には、キッチンのシンク台あるいは壁面に、独立して取り付けられる。このため、シンク台に上から下に向かって、水を供給するためのパイプを通す穴が開けられる。下方の壁に接続するエルボによって、まずシンク台の下にろ過装置を取り付けた後、パイプによって電解水装置内に接続する。あるいは、元からある蛇口から、その出水口から分流のためのスイッチを取り付けて、パイプによって分流して水が供給できるように切り換える。まず、シンク台の下にろ過装置を取り付けた後、電解水装置内にパイプをつないで電解操作を行う。そして、電解水装置に設置された二本の出水口から、それぞれ、酸性とアルカリ性のの電解水を供給する。使用者は、必要に応じて使用あるいは排出を選択することができる。
【考案の開示】
【考案が解決しようとする課題】
【０００５】
しかしながら、上述の電解水装置の取り付け方法は、どちらも欠点が認められる。前者は、シンク台に穴を開ける必要があり、水の供給を制御するためのスイッチ及びパイプを追加する必要もある。そして、水を電解水装置に供給する。このような取り付け方法は、パイプの接続の際、極めて不便であり、シンク台上の空間を占めることになると同時に、水供給のためのスイッチを取り付けるコストもかかるといった問題が生じる。また、後者は、分流のためのスイッチを取り付ける際、水パイプは蛇口の出水口と本体側面を密着させて、さらに、後ろに延長させる必要がある。この方法は、蛇口の外観を損ねる上、分流スイッチの費用もかかる。さらに、取り付けの面倒さ、不便さがあると同時に、使用の際、手や物があたって邪魔になるため、この方法も理想的だとは言えない。
【０００６】
上記点に鑑み、本考案は、電解水装置を取り付ける際に、パイプの接続が便利でかつコストがかからず、また蛇口の外観を損ねないで、蛇口使用時には手や物があたるなどの不便がない蛇口を提供することを課題とする。
【課題を解決するための手段】
【０００７】
本考案の電解水を供給制御する水源機能を持つ蛇口は、底面に上に向かって水と湯を供給するパイプがあって、上部にある混合制御バルブから出る水を調整するようになっている。そして、その頂上部には、出水パイプが伸びていて、水を供給するスタンド式の蛇口となっている。本考案の電解水を供給制御する水源機能を持つ蛇口は、本体側面下方に、内側に向かって、固定されたバルブ槽に入水のための入水制御バルブが取り付けられている。バルブ槽内部には水の導入パイプが設けられていて、本体の下に向かって暮通した給水パイプと通じている。パイプによって、さらに、本体が設置された台の下方の前部にあるろ過装置の出水口に接続する。したがって、ろ過装置が壁のエルボから分流して供給された一般水を取り込んで、本体の入水制御バルブによって調節されて、ろ過装置によって供給された浄水が直接本体内部に進入するようになっている。そして、バルブ槽側面から外に向かって接続した出水口は、パイプに接続して、浄水を電解水装置に供給し、電解処理されて送り出されることにより、電解水はこの入水制御バルブ外側の先端の制御ハンドルから、直接電解水が得られるという特徴を持つ。
【考案の効果】
【０００８】
本考案の電解水を供給制御する水源機能を持つ蛇口は、その本体側面下方に入水制御バルブを取り付けるためのバルブ槽内側の水を導入するパイプが、本体の下に向かって暮通した給水パイプと接続している。さらに、パイプによって本体のシンク台の下方のろ過装置の出水口に接続する。ろ過装置は直接壁に接続するエルボから分流されて一般水の供給を受けるため、本体内に供給された浄水は、バルブ槽側面に接続された外向きの出水口から、パイプによって、浄水が電解装置に供給される。したがって、電解水は入水制御バルブ外側先端のスイッチによって、直接電解水を得る操作をするので、構造がシンプルで、操作も簡単であるという特長を持つ。
また、本考案の電解水を供給制御する水源機能を持つ蛇口は、その本体側面下方に入水制御バルブを取り付けるためのバルブ槽内側の水を導入するパイプが、本体の水を供給するパイプ内に接続しているため、本体内に進入する水は、同時に、入水制御バルブによって、供給が制御される。したがって、もう一つの下に向かって貫通した水を供給するパイプは、パイプによって、一般水が供給され、本体のシンク下方にあるろ過装置に進入する。さらに、パイプによって本体底部の入水パイプに達する。したがって、電解水は入水制御バルブ外側先端の制御ハンドルによって、直接電解水を得るので、構造がシンプルで、操作も簡単であるという特長を持つ。
さらに、本考案の電解水を供給制御する水源機能を持つ蛇口は、その本体側面に、入水制御スイッチ及び本体の側面の単一面に後ろ向きにのびた水を供給するパイプを追加することで、電解水装置の水源があらかじめろ過及び供給が行なえる。特に、シンク台の清潔を保つことが可能で、別に水を制御するスイッチを取り付ける必要がないので、取り付けが便利で、コストの削減も可能であるため、実用性が高く、経済的であるという特徴を持つ。
【考案を実施するための最良の形態】
【０００９】
以下、本考案の一実施形態を図１、図２、図３、図４、図５に基づいて説明する。
【００１０】
本考案の電解水を供給制御する水源機能を持つ蛇口において、シンク台（図示略）の下にあり、前部に位置するろ過装置（図示略）は、壁に直接接続したエルボから分流したろ過処理されていない一般水Ｗを導入できる。ろ過装置（図示略）で一般水Ｗをろ過処理してできる浄水ＷＡはパイプ（図示略）によって本体２の装置に供給される。
【００１１】
また、本体２の装置は、本体２の底面に上に向かって開けられた冷水供給パイプ２１及び湯供給パイプ２２から本体２内部のパイプ３０に供給された水及び湯を、冷水供給パイプ２１及び湯供給パイプ２２の上部にある混合制御バルブ２３によって流量制御し、本体２から延びた出水パイプによってパイプ３０の水と湯をスタンド式の蛇口から外部へと流出する構成となっている。
【００１２】
また本体２は、本体２側面下方に、内側に向かって浄水制御バルブ３をはめ込んで固定するためのバルブ槽２４が開いている。バルブ槽２４内側に水を導入するパイプ３１は、本体２の下方に向かって貫通した給水パイプ２５に接続されている。そして、バルブ槽２４側面は出水パイプ２６に接続していて、さらに、パイプ（図示略）によって、電解水装置（図示略）に水を供給するようになっている。
【００１３】
この構造により、直接壁に接続されたエルボ（図示略）から分流した一般水Ｗを前部にあるろ過装置（図示略）が得ることができる。浄水制御バルブ３によって流量制御されると、ろ過装置に進入した一般水Ｗはろ過装置を通過し、ろ過処理された浄水ＷＡはパイプ（図示略）によって給水パイプ２５に送られる。そして、本体内のパイプ３１を通じて出水パイプ２６に送られた浄水ＷＡは、電解水装置内に送られて電解処理された後、電解水装置にある二本の給水口から、それぞれ、酸性あるいはアルカリ性を帯びた電解水として、使用あるいは排出ことができる。したがって、電解水は浄水制御バルブ３の外側の先端にある制御ハンドルによって、直接供給するため、構造がシンプルで、操作も簡単である。
【００１４】
本考案の電解水を供給制御する水源機能を持つ蛇口は、その本体２側面下方に入水制御バルブ３を取り付けるためのバルブ槽２４内側の水を導入するパイプ３１が、本体２の下に向かって貫通した給水パイプ２５と接続している。さらに、パイプによって本体のシンク台の下方のろ過装置の出水口に接続する。ろ過装置は直接壁に接続するエルボから分流されて一般水Ｗの供給を受けるため、本体２内に供給された浄水ＷＡは、バルブ槽２４側面に接続された外向きの出水口から、パイプ２６によって、浄水ＷＡが電解装置に供給される。したがって、電解水は入水制御バルブ外側先端のスイッチによって、直接電解水を得る操作をするので、構造がシンプルで、操作も簡単であるという特長を持つ。
【００１５】
（他の実施形態）
本考案のもう一つ別の実施例を図６、図７、図８、図９、図１０に基づいて説明する。図１〜図５実施形態と共通する構造の説明は簡略に説明し、異なる構造を詳述する。
【００１６】
前部のろ過装置（図示されていない）は、直接壁に接続したエルボから分流して一般水Ｗを得ることができる。その装置は、底面に上に向かって開けられた、水、湯を供給する管２１、２２から、上部にある混合制御バルブ２３によって、出水制御を行い、さらに、その頂上部に伸びた出水管によってスタンド式の蛇口を持った本体２に供給するようになっている。
【００１７】
本体２は、側面下方に、内側に向かって浄水制御バルブ３をはめ込んで固定するためのバルブ槽２４が開いている。バルブ槽２４内側には、下に向かって開いた、水を供給するためのパイプ２１が水を導入するパイプ３３に接続していて、蛇口本体２内に水を供給するようになっていると同時に、その浄水制御バルブ３によって出水を制御するようになっている。そのため、もう一つのバルブ槽２４側面に接続し、下に向かって貫通した本体２の水を供給するパイプ２７に接続している。そして、パイプ２７によって下に向かって一般水Ｗを送り出し、本体２にある、シンク台下方のろ過装置（図示略）に水が進入するようになっている。あらかじめ、ろ過装置（図示略）により、ろ過処理された浄水ＷＡは、パイプ（図示略）によって本体２底面の上に向かって開いた入水パイプ２８に送られ、本体２内のパイプ３２を通じて、本体２背面あるいは側面の中ほどに設けらた出水パイプ２６から、パイプ（図示略）によって電解水装置内に送られる。電解処理された後、電解水装置にある二本の給水口から、それぞれ酸性あるいはアルカリ性を帯びた電解水として、使用あるいは排出される。したがって、電解水は浄水制御バルブ３の外側の先端にある制御ハンドルによって、直接供給するため、構造がシンプルで、操作も簡単である。
【００１８】
また、本考案の電解水を供給制御する水源機能を持つ蛇口は、その本体２側面下方に入水制御バルブ３を取り付けるためのバルブ槽２４内側の水を導入するパイプ３３が、本体２の水を供給するパイプ２７内に接続しているため、本体２内に進入する水は、同時に、入水制御バルブ３によって、供給が制御される。したがって、もう一つの下に向かって貫通した水を供給するパイプ２７によって、一般水Ｗが供給され、本体のシンク下方にあるろ過装置に進入する。さらに、パイプ２７によって本体底部の入水パイプ２８に達する。したがって、電解水は入水制御バルブ３外側先端の制御ハンドルによって、直接電解水を得るので、構造がシンプルで、操作も簡単であるという特長を持つ。
さらに、本考案の電解水を供給制御する水源機能を持つ蛇口は、その本体側面に、入水制御スイッチ及び本体の側面の単一面に後ろ向きにのびた水を供給するパイプ２７を追加することで、電解水装置の水源が、あらかじめ、ろ過及び供給が行なえる。特に、シンク台の清潔を保つことが可能で、別に水を制御するスイッチを取り付ける必要がないので、取り付けが便利で、コストの削減も可能であるため、実用性が高く、経済的であるという特徴を持つ。
【図面の簡単な説明】
【００１９】
【図１】本考案の構造を示した立体分解図である。
【図２】本考案の構造を示した立体組立図である。
【図３】本考案組み立て後の横向きの断面図である。
【図４】本考案組み立て後の縦向きの断面図である。
【図５】図4の底面の参考図である。
【図６】本考案のもう一つの実施例の構造を示した立体分解図である。
【図７】本考案のもう一つの実施例の構造を示した立体組立図である。
【図８】本考案のもう一つの実施例の構造を示した横向きの断面図である。
【図９】本考案のもう一つの実施例の構造を示した縦向きの断面図である。
【図１０】図９の底面の参考図である。
【符号の説明】
【００２０】
２…本体、３…浄水制御バルブ、Ｗ…一般水、ＷＡ…浄水
２１…冷水供給パイプ、２２…湯供給パイプ、２３…混合制御バルブ、
２４…バルブ槽、２５…給水パイプ、２６…出水パイプ、２７…水供給パイプ、
２８…入水パイプ、３１…パイプ、３２…パイプ、３３…パイプ
【図１】
0003106388.tif 000003
【図２】
0003106388.tif 000004
【図３】
0003106388.tif 000005
【図４】
0003106388.tif 000006
【図５】
0003106388.tif 000007
【図６】
0003106388.tif 000008
【図７】
0003106388.tif 000009
【図８】
0003106388.tif 000010
【図９】
0003106388.tif 000011
【図１０】
0003106388.tif 000012